(57)【特許請求の範囲】
【請求項１】
ディスクを回転させるターンテーブルと、
前記ディスクを前記ターンテーブル上へ移送するトレイとを備え、
該トレイに複数の異なった直径のディスクを移送する複数の凹部を設け、
該各々の凹部は位置する高さが異なるディスクローディング装置において、
前記凹部の内の少なくとも1つは、ディスクをローディング／アンローディングする方向に所定の間隔だけ離間した軸を中心とする２つの円に共通する２本の接線と前記２つの円の円周の一部をつなぐことによって形成される長円形の凹部としたことを特徴とするディスクローディング装置。
【発明の詳細な説明】
【０００１】
【発明の属する技術分野】
本発明は、光ディスク、磁気ディスク等のディスク状媒体を用いるディスクローディング装置に関する。
【０００２】
【従来の技術】
近年、光ディスクを用いた記録およびまたは再生装置は、パーソナルコンピュータの普及に伴い、急速に市場を拡大している。そのような状況の中、例えばＣＤ−ＲＯＭドライブやＤＶＤドライブの光ディスク装置を例にとると直径１２ｃｍ、および８ｃｍの両ディスクのローディングに対応するため、媒体であるディスクをターンテーブル上まで移送するトレイ上に、それぞれ概略円形で概略直径１２ｃｍ、８ｃｍの凹部が形成されている。従来の例としては、例えば特開昭６３−３００４７６に示すように、それらの複数の凹部は設計が容易に行えるという都合上、概略円形の中心軸がお互い同一位置にあるように形成されていた。
【０００３】
ここで、図６〜図１２を用いて一般的なディスクのローディングについて説明する。
【０００４】
まず１２ｃｍディスクを用いた場合について説明する。
【０００５】
図６はディスクのローディング途中の図であり、図６および図７、図８および図９の順にディスクのローディングが進む。また図８および図９はディスクが所定の位置に運ばれ、ローディングが完了した図を示している。
【０００６】
図中、１ｂは１２ｃｍのディスク、２２はディスク１ｂをローディングあるいはアンローディングする際にディスクを載置し、図示しないドライブ本体にディスクを装着ないし装置から引き出すためのトレイである。
【０００７】
トレイ２２には、ディスクローディング時のディスクの位置決めおよびローディング完了時のディスク保持が行い易くするため、それぞれ同一平面上になく概略直径が１２ｃｍ、８ｃｍであり、概略円形で凹部のディスクの載置面が形成されている。通常８ｃｍのディスクに対応する載置面２２ａは１２ｃｍのディスクの載置面２２ｂより更に一段深い位置に形成されている。
【０００８】
また、３はディスク１ｂがトレイ２２により所定位置に移動した際、ディスクを載置および保持し、ディスクを回転させるターンテーブル、４はディスク１ｂからの信号のやり取りを行うピックアップ、５は図示しないターンテーブル回転用のモータおよびピックアップ４を搭載しているユニットメカ、７はローディング完了時にディスクをターンテーブル３と挟み込むかたちで保持するクランパ、である。ターンテーブル３のセンタ部には図示しない磁石が、一方のクランパ６内には磁石に吸引される例えば鉄板７ａが内蔵されており、ユニットメカ５の上昇完了後、ディスク１ｂはターンテーブル３とクランパ６に挟み込まれ保持される。
【０００９】
また、６は前記ユニットメカ５を搭載し、かつ防振ゴム８を介しユニットメカを保持しているユニットホルダである。この防振ゴム８はドライブ外部からの衝撃をユニットメカ５に伝達しないよう、あるいはディスク１ｂの回転によりユニットメカ５で発生する振動をドライブの筐体に伝えないよう、不要な振動を遮断する働きを担っている。
【００１０】
ここで、図６はディスク１ｂを図示しないドライブ本体にローディングする途中の説明図であり、トレイ２２上のディスクの載置面２２ｂ上に１２ｃｍのディスク１ｂが置かれている場合を示している。まず、ディスク１ｂはローディングのため、トレイ２２上の載置面２２ｂ上に載置されている。
【００１１】
引き続き、ディスクローディングおよびディスクの保持方法について説明する。通常、ディスクのローディング機構では、ディスクのローディング途中やアンローディング時は、図６に示すようにユニットメカ５はユニットホルダ６の回動軸６ａを中心にターンテーブル部側が下がった状態となっている。ここでローディングを指示する図示しないスイッチがＯＮされると、図示しないローディング機構用モータにより、トレイ２２は矢印Ａ方向に、ユニットメカ５はユニットホルダ６の回動軸６ａを中心に矢印Ｃ方向に移動する。
【００１２】
以上、ディスクのローディングは図示しない機構によるトレイ２２のＡ方向の動作と共に、その動作に同期したユニットホルダ６の回動軸６ａ周りの矢印Ｃ方向の動作により行われる。
【００１３】
ここで、図７はディスク１ｂとターンテーブル３の位置関係を分かりやすく示すため前掲図６においてターンテーブル３付近を部分的に拡大した図である。この状態の時、ユニットメカ５は、ディスク１ｂから離間した状態にある。引き続きローディングが進み、トレイ２２は矢印Ａ方向に、同様にユニットホルダ６およびユニットメカ５は更に矢印Ｃ方向に進んだ場合について図８に示す。また、図９は図８においてターンテーブル３付近を拡大した図である。
【００１４】
この時、ディスク１ｂはユニットメカ５の上昇により、トレイ２２のディスク載置面２２ｂより離間し、ディスク１ｂに対しターンテーブル３と、その対象な方向にあるクランパ６により挟み込まれる。これでディスクのローディング動作は完了し、引き続き図示しない制御回路からの命令によりディスクが回転を始め、ピックアップで信号が読み取り始められる。
【００１５】
以上、従来例について直径１２ｃｍのディスクを用いた場合について説明したが、引き続き本装置で８ｃｍのディスクをローディングする場合について図１０から図１２を用いて説明する。各記号は前述の従来例と同一であるので、ここでは省略する。
【００１６】
図１０は８ｃｍのディスク１ａを用いた場合の従来例であり、図１１は前掲図１０においてターンテーブル３付近を部分的に拡大した図を示しており、ディスク１ａとターンテーブル３の位置関係を分かりやすく示している。
【００１７】
まず図１０に示すように、８ｃｍのディスク１ａをトレイ２２の載置面２２ａに載置する場合、前述１２ｃｍのディスクに比べトレイ２２上では低い位置つまりユニットメカ５により近い位置に形成された載置面２２ａにディスク１ａが載せられる。従来はこの１２ｃｍのディスクの載置面２２ｂの中心軸１１ｂと８ｃｍのディスクの載置面２２ａの中心軸１１ａとは同一位置になるように構成されていた。そのためにローディングが進み、ターンテーブル３が上昇すると、同図に示すようにターンテーブル３がユニットホルダ６の回動軸６ａを中心に矢印Ｃ方向に移動する場合、１２ｃｍのディスクより８ｃｍのディスクの方が低い位置にあるため、ターンテーブル３と、８ｃｍのディスク１ａの間には、１２ｃｍのディスク１ｂを用いた場合とは異なり、８ｃｍのディスク１ａをターンテーブル３に載置する時にタイミングのずれが発生する。このため、同図１２に示す様にターンテーブルのセンタ部分の斜面部３ａにディスク１ａの内径部分が乗り上げてしまい、ディスク１ａがトレイの載置面２２ａ上から外れ位置ずれを起し、ディスクのミスチャッキングを発生しやすいという問題があった。
【００１８】
また、光ディスク装置が斜めに置かれることで、上記装置内の一部が自重によって移動して、上述のようなディスクのミスチャッキングの問題が発生することもあった。
【００１９】
【発明が解決しようとする課題】
本発明の目的は、前記のような問題点を解決すべく、異なる直径のディスクを使用しても安定にディスクがターンテーブル上に載置、保持可能となる高信頼性のディスクのローディング装置を提供することにある。
【００２０】
また、装置が斜めに置かれた場合であっても、安定にディスクがターンテーブル上に載置、保持可能とするディスクのローディング装置を提供することにある。
【００２１】
【課題を解決するための手段】
本発明は、前記問題点を解決するために、
ディスクを回転させるターンテーブルと、前記ディスクを前記ターンテーブル上に載置するためにディスクの移送を行うトレイとを備え、該トレイには２種類以上の異なった直径のディスクを移送する２種類以上の概略円形の凹部を備え、それらの凹部は位置する高さが異なるディスクローディング装置において、前記トレイに形成された概略円形の中心軸の位置を異ならせた構成としたことを特徴とする。
【００２２】
さらに、前記ディスクローディング装置において、２種類以上の概略円形の凹部の中心軸の位置はディスクをローディング／アンローディングする方向に異なっていることを特徴とする。
【００２３】
という手段をディスクローディング装置に用いる。
【００２４】
また、中心軸が異なる２つの円に共通する２本の接線と前記２つの円の円周の一部とをつなぐことによって形成されるディスク載置用の概略長円形の凹部を前記トレイに設けることで、装置が斜めに置かれた場合の上記装置内の一部が自重によって移動して生ずるディスクのミスチャッキングを防止する。
【００２５】
【発明の実施の形態】
以下、本発明の実施の形態を、一例としてＣＤ−ＲＯＭドライブ装置に適用した場合について、図１〜図３を用いて説明する。
【００２６】
図１はディスクローディング装置の主要部分を示した断面側面図、図２は図１において説明のためにターンテーブル３近辺を部分的に拡大した説明図である。ここで、１ａは８ｃｍのディスク、２はディスク１ａをローディング／アンローディングする際にディスク１ａを載置するトレイ、３はディスク１ａがトレイ２により、所定位置に移動した際、ディスク１ａを載置および保持し、ディスク１ａを回転させるターンテーブル、であり後述のクランパと吸着されるために中心部分に図示しない磁石がはめ込まれている。４はディスク１ａからの信号のやり取りを行うピックアップ、５は図示しないターンテーブル回転用のモータおよびピックアップ４を搭載しているユニットメカ、６はユニットメカ５を搭載し、かつ防振ゴム８を介してユニットメカ５を保持しているユニットホルダである。
【００２７】
７はローディング完了時にディスク１ａをターンテーブル３により挟み込み、保持するクランパ、であり、内部に磁石に吸着する例えば鉄板７ａが内蔵されている。このためユニットメカ５の上昇後、ディスク１ａは前記ターンテーブル３とクランパ７挟み込まれ、保持される機構となっている。
【００２８】
また、トレイ２上には、８ｃｍのディスク１ａに対応したディスクの載置面２ａおよび１２ｃｍのディスクにも対応したディスクの載置面２ｂが設けられており、ディスクローディング時のディスクの位置決めおよびローディング後のディスクの保持が行いやすい構造となっている。
【００２９】
更に通常８ｃｍ用のディスクの載置面２ａは、１２ｃｍのディスクの載置面２ｂよりも一段低い所に位置した構造となっている。
【００３０】
また、図３は図１を矢印Ｚ方向から見た図であり、トレイ２の部分のみ示している。説明のため、本発明による１２ｃｍのディスク用と８ｃｍのディスク用の概略円形の載置面２ｂ、２ａの中心軸１１ｂ、１１ａのずれをＸ軸方向に関し拡大した状態を示している。
【００３１】
本発明による特徴は、１２ｃｍのディスクのローディング時はユニットメカ５およびユニットホルダ６の上昇のタイミングを１２ｃｍのディスクに合うように載置面２ｂの位置を決定し、さらに８ｃｍのディスクのローディング時にも同様なタイミングが実現できるよう８ｃｍのディスクの載置面を配したことにある。つまりこれら載置面の中心軸つまり１２ｃｍのディスクに対応する載置面２ｂの中心軸１１ｂが、８ｃｍディスク１ａに対応するディスクの載置面２ａの中心軸１１ａとは異なる位置に設定することにより、１２ｃｍのディスクはもとより、８ｃｍのディスクを用いた場合でもチャッキング動作を容易に、しかも安定に実現する事を可能にする。
【００３２】
以下、図面をもとに詳説する。
【００３３】
まず図１において、ディスク１ａはローディングのため、トレイ２上の載置面２ａ上に載置される。
【００３４】
ここで、ディスクローディングおよびディスクの保持方法について説明する。通常、ディスクのローディング機構では、ディスクのローディング途中およびアンローディング時は、図１に示すようにユニットメカ５、およびユニットホルダ６はユニットホルダの回動軸６ａを中心にターンテーブル部側が下がっている構造をしている。ここで、ローディングを指示する図示しないローディング用のスイッチがＯＮされると、図示しないローディング機構用モータにより、トレイは矢印Ａ方向に、ユニットメカ５およびユニットホルダ６はユニットホルダの回動軸６ａを中心に矢印Ｃ方向に移動する。
【００３５】
この時、本発明によれば、拡大図図２に示すように１２ｃｍのディスク用の載置面２ｂの中心軸１１ｂと８ｃｍのディスク用の載置面２ａの中心軸１１ａとは、お互いずれた位置関係にあるので、ターンテーブル３の斜面部３ａに８ｃｍのディスク１ａの内径部分が乗り上げなくなり、ミスチャッキングを起すことがなくなる。
【００３６】
即ち、１２ｃｍのディスク用の載置面２ｂの中心軸１１ｂと８ｃｍのディスク用の載置面２ａの中心軸１１ａをずらせることで、８ｃｍのディスクがターンテーブル３に載置されるタイミングと、１２ｃｍのディスクがターンテーブル３に載置されるタイミングとが相対的に同じタイミングとされることが可能となる。そのため８ｃｍのディスクにおいても、ミスチャッキングを起すことなく安定に高信頼性を確保しながらディスクのローディングを行う事が可能となる。
【００３７】
引き続き前述図１および図４、図５を用いて第２の実施の形態について説明する。
【００３８】
図４中、１０の２点鎖線は本発明を適用したＣＤ−ＲＯＭドライブを示し、３２は本発明によるディスクを移送するためのトレイである。その他の記号については、これまでの記述によるものと同一要素を示すもので、ここでは省略する。
【００３９】
ここで、図４はＣＤ−ＲＯＭドライブ１０が斜めに置かれた場合の説明図、図５は本第２の実施の形態を示す図である。
【００４０】
前述の様にユニットメカ５は外部からの外乱つまり振動を遮断するため、通常ユニットホルダ６を介し取り付けられている場合が多くユニットホルダ６とユニットメカ５間に振動を遮断するための防振ゴム８が取り付けられるのが一般的である。
【００４１】
ＣＤ−ＲＯＭドライブは水平置きのみだけではなく、図４に示すようにドライブ１０全体が水平面Ｈに対し、ある角度θを持つ斜面に置かれる場合もある。
【００４２】
この防振ゴムは比較的柔らかい材質を使用する場合があるので、図４のように姿勢が変化した場合、ユニットメカ５も自重により斜め前方Ｇ方向に移動する場合がある。この場合、前記第１の実施の形態では、８ｃｍのディスクをターンテーブルが迎えに行く場合、ミスチャッキングを起す可能性がある。
【００４３】
そこで、図５に示す様に前記第１の実施例で形成される様な中心軸１１ａを持つ８ｃｍのディスク用の載置面の配置に対し、従来例の８ｃｍのディスクの載置面の中心軸１１ｂ（１２ｃｍのディスクの載置面３２ｂの中心軸と同じ軸）、による円形と、中心軸１１ｂとは異なる中心軸であって、高さおよび直径を８ｃｍのディスクに合わせた円形の両者に共通な２本の接線と前記２つの円形の円周の一部とをつないで出来る概略長円形状の載置面３２ａを設定することで、ＣＤ−ＲＯＭドライブが斜面に置かれた場合のディスクのミスチャッキングを解決することが可能である。
【００４４】
即ち、ＣＤ−ＲＯＭドライブが斜面に置かれ、ユニットメカ５が自重により斜め前方に移動しても、載置面３２ａの形状が概略長円形状であり、ディスクも該形状に沿って、移動可能であるので、８ｃｍのディスクをターンテーブルが迎えに行く場合に、ミスチャッキングを防止できる。
【００４５】
以上、これらの実施の形態を用いることにより、１２ｃｍのディスクのチャッキングは勿論の事、８ｃｍのディスクを用いた場合においても安定にディスクのチャッキングを行うことが可能になり、高信頼性のディスクローディング機構をコストを上昇させることなく、容易に実現することができる。
【００４６】
尚、本実施の形態では一例としてＣＤ−ＲＯＭドライブに本発明を適用した場合について説明したが、適用されるドライブはこれに限られずＣＤ−ＲドライブやＤＶＤ−ＲＯＭ／ＲＡＭドライブ等、光及びまたは光磁気ディスクを用いたドライブ、およびまたはプレーヤ等、広範囲にわたり適用する事が可能である。
【００４７】
【発明の効果】
異なる直径のディスクを同一トレイでローディングを行うディスクローディング装置において、ローディング時に発生しやすいディスクのミスチャッキングの発生を防止することができる。
【００４８】
また、中心軸が異なる２つの円に共通する２本の接線と前記２つの円の円周の一部とをつなぐことによって形成される概略長円形の凹部を前記トレイに設けることで、装置が斜めに置かれた場合は、勿論のこと、装置が水平に置かれた場合であっても、凹部が概略長円形であるので、トレイの凹部に載置されたディスクの移動自由度が増し、ディスクのミスチャッキングを防止するという効果が得られる。
【図面の簡単な説明】
【図１】本発明の第１の実施の形態を示す説明図である。
【図２】本発明の第１の実施の形態を示す説明図である。
【図３】本発明の第１の実施の形態を示す説明図である。
【図４】本発明の第２の実施の形態を示す説明図である。
【図５】本発明の第２の実施の形態を示す説明図である。
【図６】従来例の説明図である。
【図７】従来例の説明図である。
【図８】従来例の説明図である。
【図９】従来例の説明図である。
【図１０】従来例の説明図である。
【図１１】従来例の説明図である。
【図１２】従来例の説明図である。
【符号の説明】
１ａ…８ｃｍのディスク
１ｂ…１２ｃｍのディスク
２、２２、３２…トレイ
２ａ、２２ａ、３２ａ…８ｃｍのディスク用の載置面
２ｂ、２２ｂ、３２ｂ…１２ｃｍのディスク用の載置面
３…ターンテーブル
４…ピックアップ
５…ユニットメカ
６…ユニットホルダ
７…クランパ
８…防振ゴム
１１ａ…８ｃｍディスク用の載置面の中心軸
１１ｂ…１２ｃｍディスク用の載置面の中心軸
【図１】
0003582364.tif 000002
【図２】
0003582364.tif 000003
【図３】
0003582364.tif 000004
【図４】
0003582364.tif 000005
【図５】
0003582364.tif 000006
【図６】
0003582364.tif 000007
【図７】
0003582364.tif 000008
【図８】
0003582364.tif 000009
【図９】
0003582364.tif 000010
【図１０】
0003582364.tif 000011
【図１１】
0003582364.tif 000012
【図１２】
0003582364.tif 000013